(57)【要約】【課題】特殊な装備を持たない便座装置を使用しても、便座表面の除菌を行うことができる除菌シートを提供すること。【解決手段】便器蓋の裏面に接着して、便器蓋に対向する便座表面を除菌するシートであって、便器蓋の裏面に接着する接着層５、除菌性でかつ空間放出性の薬剤を保持する薬剤層６、放出された薬剤を通過させる構造の対物層７をこの順に積層して構成する。この除菌シートを便器蓋裏に接着させると、便器蓋を閉じることにより便座表面と除菌シートが近接し、便座表面を殺菌・除菌することができる。【選択図】図４
2018143279.tif 000002
【特許請求の範囲】
【請求項１】
便器蓋の裏面に固定して、便器蓋に対向する便座表面を除菌するシートであって、除菌性でかつ空間放出性の薬剤を保持する層（薬剤層）を有ることを特徴とした除菌シート。
【請求項２】
便器蓋の裏面に固定する固定部位を裏面に有することを特徴とした請求項１に記載の除菌シート。
【請求項３】
薬剤層の表面に放出された薬剤を通過させる構造の対物層を有することを特徴とした請求項１又は２に記載の除菌シート。
【請求項４】
薬剤層と対物層とで一組の機能層を構成しており、かつ、この機能層が剥離可能に複数組積層されていることを特徴とした請求項３に記載の除菌シート。
【請求項５】
薬剤の有効性を示す表示を表面に有することを特徴とした請求項１〜４のいずれかに記載の除菌シート。
【請求項６】
前記薬剤層は支持体に薬剤を乾燥固着されたもので構成されていることを特徴とした請求項１〜５のいずれかに記載の除菌シート。
【請求項７】
便器蓋もしくは便座と同一形状又は相似形状を有することを特徴とした請求項１〜６のいずれかに記載の除菌シート。
【請求項８】
便器蓋もしくは便座と同一形状又は相似形状の切れ目を有することを特徴とした請求項１〜７のいずれかに記載の除菌シート。
【請求項９】
便器蓋から外側に突出する余剰部分を有する形状であることにより便器蓋の開閉に寄与できることを特徴とした請求項１〜８のいずれかに記載の除菌シート。
【請求項１０】
前記薬剤の対象物が、便座表面に存在しているもの又は便器蓋と便座表面との間の空間に浮遊しているものであることを特徴とした請求項１〜９のいずれかに記載の除菌シート。
【請求項１１】
便座表面に近接させることにより、便座表面に存在している対象物に請求項１〜１０のいずれかに記載の除菌シートが近接し、対象物又は対象物が保有・放出する毒性物質を分解させる方法。
【発明の詳細な説明】
【技術分野】
【０００１】
本発明は、洋式便座の表面を除菌する除菌シートに関する。
【背景技術】
【０００２】
周知のように、トイレは排泄物等を処理する設備であり、汚物に含まれる雑菌等で汚染されることがある。このため、トイレを衛生的に保つため、様々な工夫が積み重ねられている。
【０００３】
例えば、特許文献１には、便器の蓋の裏側にホルダを取り付け、このホルダに除菌剤等を収容する技術を記載している。便器蓋と便器との間の空間に除菌剤が放出されるため、これらの全体を衛生的に保つことができる。しかしながら、この技術においては、便器蓋と閉じたときにホルダとリング状便座とが衝突することを防ぐため、ホルダは便器蓋の略中央に配置する必要がある。このため、ホルダに収容された除菌剤等で便座表面を十分に除菌することができない。
【０００４】
また、特許文献２は、便座装置の便器蓋の内面に殺菌灯を装備する技術を提案している。この便座装置では殺菌灯が便座表面を含めて照明殺菌することができる。しかしながら、この技術を採用するためには殺菌灯を内蔵した便座装置を必要とする。このため、このような殺菌灯を内蔵しない便座装置では採用することができない。
【先行技術文献】
【特許文献】
【０００５】
【特許文献１】実用新案登録第３１９８７８６号公報
【特許文献２】特開２００６−３４９９３号公報
【発明の概要】
【発明が解決しようとする課題】
【０００６】
本発明は、上記の事情に鑑みてなされ、従来の課題を解決するものであり、特殊な装備を持たない便座装置を使用しても、便座表面の除菌を行うことができる除菌シートを提供することを目的としている。
【課題を解決するための手段】
【０００７】
除菌シートを便器蓋裏に接着させると、便器蓋を閉じることにより便座表面と除菌シートが近接し、便座表面を殺菌・除菌することができる。これにより、使用者が便器を使用後、便器蓋を閉めるのみで便座表面の殺菌・除菌ができ、簡便に便座表面を清潔にすることができる。
【０００８】
本発明の除菌シートは、便器蓋の裏面に接着して、便器蓋に対向する便座表面を除菌するシートであって、除菌性でかつ空間放出性の薬剤を保持する層（薬剤層）を有する除菌シートであり、この除菌シートにより便座表面を清潔にすることが可能である。
【０００９】
便器蓋の裏面に接着する接着部位を便座側から見て裏面に有することが好ましい。便器蓋裏の全面もしくは一部にシートが接着するよう、シートに接着剤を塗布して接着層を形成することにより、この接着層を接着部位とすることができる。
【００１０】
また、本発明の除菌シートは、薬剤層の表面に放出された薬剤を通過させる構造の対物層を有することが好ましい。また、本発明の除菌シートは、これら薬剤層と対物層とで一
組の機能層とし、この機能層を複数組積層したものとすることができる。機能層と機能層との間を剥離可能とすることにより、最表面の薬剤層の効能が低下した後、最表面の機能層を剥離することで、最表面に対物層と効能がある薬剤層を露出させることができ、除菌シート全てを交換せずに、有効な除菌シートにて殺菌・除菌することができる。
【００１１】
また、本発明の除菌シートは、薬剤の有効性を示す表示を表面に有することが望ましい。このように薬剤の有効性を示す表示を表面に配置することにより、薬剤効果を表示・認識する機構を有することができる。
また、本発明の除菌シートは、便器蓋の形状もしくは便座の形状に対応した形状を有することが望ましい。例えば、便器蓋もしくは便座と同一形状又は相似形状である。また、便器蓋もしくは便座と同一形状又は相似形状の切れ目を有するものであってもよい。また、これに加えて、便器蓋から外側に突出する余剰部分を有する形状であってもよい。
【００１２】
次に、本発明に係る薬剤が対象とするものは、便座表面に存在しているもの又は便器蓋と便座表面との間の空間に浮遊しているものである。
【発明の効果】
【００１３】
本発明によれば、特殊な装備を持たない便座装置を使用しても便座表面を簡便かつ安全に除菌して、感染症のリスクを低減することが可能となる。
【図面の簡単な説明】
【００１４】
【図１】本発明における除菌シートの接着場所を示す模式図である。
【図２】本発明における除菌シートによる便座表面の殺菌方法を示す模式図である。
【図３】本発明における除菌シートによる便座表面の殺菌方法を示す模式図（断面図）である。
【図４】本発明における除菌シートの断面図を示す模式図である。
【発明を実施するための形態】
【００１５】
以下、本発明に係る除菌シート、除菌シートによる実施形態を図面に基づいて説明する。また、実施例は、除菌シートを接着して固定する方法を例とするが、固定方法は接着に限られない。
【００１６】
図１は、本実施形態における除菌シートの接着場所を示す模式図である。図２は、本実施形態における除菌シート１を便器蓋（便座蓋）裏に接着させ除菌を行う方法を示す模式図である。図３は、本実施形態における除菌シート１を便器蓋裏に接着させ除菌を行う方法を断面図で示したものである。
【００１７】
本実施形態に係る除菌シート１は、図１に示すように便器蓋２の裏面に接着させ、便器内に設置する。図２および図３に示すように、便器蓋２の裏面に除菌シート１を接着させた状態で、便器蓋２を閉じることにより、便座３に除菌シート１が近接し、除菌シート１から放出された薬剤にて便座３の表面に存在する微生物等の毒性を消失させる。図４に示すように、除菌シート１は便器蓋２の裏面に接着され、便器蓋２の裏面側から接着層５、薬剤層６、対物層７の順番で積層されたものである。なお、これに加えて、対物層７の表面に、薬剤の有効性を示す表示を設けることもできる。
【００１８】
また、薬剤層６と対物層７とで一組の機能層を構成し、複数組の機能層を接着層５上に積層して除菌シート１とすることもできる。
【００１９】
この除菌シート１は、便器蓋の形状もしくは便座の形状に対応した形状を有することが望ましい。例えば、便器蓋もしくは便座と同一形状又は相似形状  であり、便器蓋裏（便器蓋を閉めたときに、便座面（着座面）と対向する側）全面に固定される形状であって、また、便器蓋を閉めた際に便座の垂直方向にシートが存在するような形状が好ましい。また、シート中心部が無い形状でもよい。また、便器蓋もしくは便座と同一形状又は相似形状の切れ目を有するもので各メーカーの便器蓋裏の形状に合わせ使用者が適宜最適な形状に合わせ余剰部分を取り除くものであってもよい。また、これに加えて、便器蓋から外側に突出する余剰部分を有する形状でこの余剰部分を利用し便器蓋の開閉を便器蓋に触れずに行える形状でもよい。また、本シートが垂直方向に積層され、便座側の最表面の除菌シートによる効果が低下した時、使用者が最表面を剥離し、その下層にある除菌シートを露出させ、除菌シートの効果を再度機能させることが可能な積層された除菌シートでもよい。また、便器蓋裏に接着された除菌シートの便座側の最表面の薬剤効果が低下した際に、効果低下を示す表示がされる除菌シートでもよい。
当該シートの固定方法は、接着のほかに、面ファスナーを用いての固定、固定具を用いるもの、便器蓋に本発明シートに対応する治具を取付けて固定する方法等、適宜利用することができる。
【００２０】
除菌シートが便器蓋と同一形状または相似形状とは、次のようなものを指す。
【００２１】
便器蓋と同一形状とは、除菌シートが便器蓋の形状と同じであり、除菌シートが便器蓋裏全面を覆うことを指す。このとき、便器蓋が便座の外縁より外側を覆うような延在部を有している場合、その延在部の全体や一部を除菌シートで覆うかどうかは適宜選択する。同一形状というとき、上記便器蓋の延在部を除菌シートで覆うかどうかは問わない。
【００２２】
便器蓋と相似形状とは、便器蓋の形状と相似、類似の形状の除菌シートのことを指す。例えば、便器蓋と相似形状の除菌シートを作製し、当該相似形の一部を切抜いた形状の除菌シートが挙げられる。
便器蓋と類似形状とは、例えば、上記のような相似形のシートの外周部の形状が便器蓋と相似形でないものや、シートの内側の一部を切抜いた、切抜き部分の形状を変形させたものを指す。この一部変更はデザイン上の要求による変更や、除菌シートを固定する際などの機能的要求による変更も含む。
【００２３】
相似形には、シート自体の変形だけでなく、薬剤の配置位置を変更したものも含む。
【００２４】
例えば、除菌シート自体は、便器蓋と同一、相似であっても、薬剤配置位置が、便器蓋形状と同一、相似でないものが挙げられる。例えば、薬剤が除菌シートの一部に縞状、島状、点線などの、非連続で配置されているものを含む。
この他に、薬剤部分を複数に分け、便器蓋の複数の場所に固定する方法でも良い。
【００２５】
薬剤を非連続で配置する場合、薬剤を複数の場所に固定する場合、除菌シートの形状は任意でよい。
便器蓋との相似形状の除菌シートとする場合、便器蓋を閉めたときにシートの一部は、平面視で便座の一部にかかる（便座の一部に重なる）形状とすることが良い。
【００２６】
また、便座の幅に対して中心線を仮想した場合、シートが便座の中心線より外側にかか
る形状とすることが、除菌の効果を高める点から好ましい。
【００２７】
また、除菌シートが便座と同一形状または相似形状とは、次のようなものを指す。
【００２８】
便座と同一形状とは、便座の形状と同じ形の除菌シート形状を指す。このとき、便座の厚み部分を除菌シートで覆うかどうかは適宜選択する。同一形状というときは、便座の厚み部分をシートで覆うかどうかは問わない。
【００２９】
便座と相似形状とは、便座の形状と相似、類似の形状の除菌シートのことを指す。
【００３０】
便座と相似形状とは、例えば、除菌シートを便座の形状と相似形状に作製し、便座の一部に固定するものが挙げられる。この例では便座の幅方向に対して中心線を仮想し、その中心線と同じ形状のシートとする場合が挙げられる。
【００３１】
便座と類似形状とは、例えば、便座の幅方向に蛇行させた除菌シートの形状が挙げられる。
【００３２】
相似形には、シート自体の変形だけでなく、薬剤の配置位置を変更したものも含む。
【００３３】
例えば、除菌シート自体は、便座と同一、相似であっても、薬剤配置位置が、便座と同一、相似でないものが挙げられる。例えば、薬剤が除菌シートの一部に縞状、島状、点線などの、非連続で配置されているものを含む。
この他に、薬剤部分を複数に分け、便座の複数の場所に固定する方法でも良い。
【００３４】
また、便座に除菌シートを固定する場合、便座カバー（粘着式を含む）の交換の際に脱落しない強度で固定することが好ましい。
【００３５】
薬剤を非連続で配置する場合、薬剤を複数の場所に固定する場合、除菌シートの形状は任意でよい。
【００３６】
次に、接着層５は、便器蓋２の裏面に接着されるもので、接着剤がシート法線方向に浸透せず、接着剤により分解を受けない物資で、ポリメチルメタクリル酸メチル（ＰＭＭＡ）、ポリカーボネート、ポリプロピレン、ポリエチレン、ポリエステル、ナイロン、ポリ酢酸ビニル、ポリウレタン、ポリメチルペンテン、ポリスチレン、ポリテトラフルオロエチレン、ＡＢＳ樹脂、ポリジメチルシロキサン、セルロース、ニトロセルロース、シリコン樹脂、および、これらの高分子化合物を含む共重合体あるいは複合体、石英ガラス、パイレックス（登録商標)、ソーダガラス、ホウ酸ガラス、ホウケイ酸ガラス、セラミックス、およびその複合体のいずれか１以上によって構成される。便器蓋２の裏面側のみ、もしくは両面に接着剤が塗抹され、厚さは２ｍｍ以下が好ましい。
【００３７】
薬剤層６は、接着層５と対物層７にシート法線方向において挟まれ積層される。薬剤層６は感染症に関連する微生物又は微生物が保有・放出する毒性物質を分解させる為の薬剤を使用し、この薬剤をシート状支持体に塗布又は接着したもの、不織布もしくはスポンジ様支持体に含浸・乾燥固着されたもの、または薬剤が粒子に固着されたもので構成することができる。薬剤を固着する粒子としてはゼオライト等の多孔質体を使用できる。なお、薬剤をカプセルに内包したものを使用して薬剤層６を構成することもできる。また、薬剤層６は単層構造であってもよいし、多層構造であってもよい。例えば、１種以上の薬剤を含有する層と、他の薬剤を含有する層とを積層した多層構造である。
【００３８】
なお  、薬剤層は単層構造であってもよいし、多層構造であってもよい。例えば、１種
以上の薬剤を含有する層と、他の薬剤を含有する層とを積層した多層構造である。
【００３９】
また、薬剤層は前記薬剤をカプセルに内包したものを使用して構成することができる。この場合には、経時的にカプセル形状が崩壊することにより、経時的に継続して薬剤が放出され、殺菌・除菌効果を保つことができる。
【００４０】
支持体の物質は、薬剤による分解を受けない物質で、ポリメチルメタクリル酸メチル（ＰＭＭＡ）、ポリカーボネート、ポリプロピレン、ポリエチレン、ポリエステル、ナイロン、ポリ酢酸ビニル、ポリウレタン、ポリメチルペンテン、ポリスチレン、ポリテトラフルオロエチレン、ＡＢＳ樹脂、ポリジメチルシロキサン、セルロース、ニトロセルロース、シリコン樹脂、および、これらの高分子化合物を含む共重合体あるいは複合体、石英ガラス、パイレックス（登録商標）、ソーダガラス、ホウ酸ガラス、ホウケイ酸ガラス、セラミックス、およびその複合体のいずれか１種以上によって構成される。
【００４１】
本発明に係る薬剤が対象とするものは、便座表面に接着しているもの又は便器蓋と便座表面との間の空間に浮遊しているものである。
【００４２】
これら対象物には、例えば、感染症に関連する微生物および微生物が保有・放出する毒性物質が含まれる。感染症に関連する微生物としては、ウイルス、微生物としては、疾患としてエボラ出血熱、クリミア・コンゴ出血熱、痘瘡、南米出血熱、ペスト、マールブルグ病、ラッサ熱、急性灰白髄炎、結核、ジフテリア、重傷急性呼吸器症候群、鳥インフルエンザ、コレラ、細菌性赤痢、腸管出血性大腸菌感染症、腸チフス、バラチフス、Ｅ型肝炎、ウエストナイル熱、Ａ型肝炎、エキノコックス症、黄熱、オウム病、オムスク出血熱、回帰熱、キャサナル森林病、Ｑ熱、狂犬病、コクシジオイデス症、サル痘、重症熱性血小板減少症候群、腎症候性出血熱、西部ウマ脳炎、ダニ媒介脳炎、炭素症、チクングニア熱、つつが虫病、デング熱、東部ウマ脳炎、ニパウイルス感染症、日本紅斑熱、猩紅熱、日本脳炎、ハンタウイルス感染症、Ｂウイルス病、鼻疽、ブルセラ症、ベネゼエラウマ脳炎、ヘンドラウイルス感染症、発疹チフス、ボツリヌス症、マラリア、野兎病、ライム熱、リッサウイルス感染症、リフトバレー熱、類鼻疽、レジオネラ症、レプトスピラ症、ロッキー山紅斑病、アメーバ赤痢、ウイルス性肝炎、カルバペネム耐性腸内細菌科細菌感染症、急性脳炎、クリプトコックス症、クロイツフェルト・ヤコブ病、劇症型溶血性連鎖球菌感染症、破傷風、バンコマイシン耐性黄色ブドウ球菌感染症、バンコマイシン耐性腸球菌感染症、風疹、麻疹、新型インフルエンザ、ＲＦウイルス感染症、咽頭結膜熱、Ａ群溶血性レンサ球菌咽頭炎、感染性胃腸炎、手足口病、突発性発疹、百日咳、ヘルパンギーナ、流行性耳下腺炎、急性出血性結膜炎、流行性角結膜炎、クラミジア肺炎、細菌性髄膜炎、マイコプラズマ肺炎、無菌性髄膜炎、クラミジア感染症、ヘルペスウイルス感染症、尖圭コンジローマ、淋菌感染症、薬剤耐性肺炎球菌感染症、薬剤耐性黄色ブドウ球菌感染症、薬剤耐性緑膿菌感染症、中東呼吸器症候群、敗血症、真菌症、原虫感染症などの病原菌や病原ウイルスが挙げられる。また、それ以外の感染症としては、ＭＲＳＡ（メチシリン耐性黄色ブドウ球菌）、トキソプラズマ、マイコプラズマ等が挙げられる。
【００４３】
これら感染症に関連する微生物および微生物が保有・放出する毒性物質は、例えば、脂質、炭化水素、タンパク質、リン脂質、アミノ酸、核酸、糖質、多糖類、抗体、抗原、代謝産物、ホルモン、ウイルス、微生物、細胞、末梢血、血清、血漿、腹水、尿、脳脊髄液、痰、唾液、骨髄、滑液、眼房水、羊水、耳垢、母乳、気管支肺胞洗浄液、精液、前立腺液、カウパー液もしくは射精前液、汗、糞便、毛髪、涙、嚢胞液、胸水もしくは腹水、囲心房液、リンパ液、糜粥、乳糜、胆汁、間質液、月経分泌物、膿、皮脂、嘔吐物、膣分泌物、粘膜からの分泌物、水便、膵液、鼻腔からの洗浄液、気管支肺吸引物、胚盤胞腔液、臍帯血、などに加え、無機物質、低分子化合物、高分子化合物、金属化合物、鉱物、粉体、ゲル状体である。
【００４４】
各種の記毒性物質のうちタンパク質としては、例えば、血漿タンパク質、血清タンパク質、リポタンパク質、糖タンパク質、ポリペプチド、腫瘍マーカー、アポタンパク質、ウイルス抗原、自己抗体、心疾患マーカー等を例示できる。
【００４５】
また、これらタンパク質のうち、血漿タンパク質や血清タンパク質としては、例えば、免疫グロブリン（ＩｇＧ、ＩｇＡ、ＩｇＭ、ＩｇＤ、ＩｇＥ）、補体成分（Ｃ３、Ｃ４、Ｃ５、Ｃ１ｑ）、ＣＲＰ（Ｃ反応性タンパク）、α１−アンチトリプシン、α１−マイクログロブリン、β２―マイクログロブリン、ハプトグロビン、トランスフェリン等が挙げられる。
【００４６】
また、腫瘍マーカーとしては、例えば、α−フェトプロテイン（ＡＦＰ）、癌胎児性抗原（ＣＥＡ）、ＣＡ１９−９、ＣＡ１２５、ＣＡ１５−３、ＰＩＶＫＡ−ＩＩ、等が挙げられる。
【００４７】
アポタンパクとしては、例えば、アポＡ−Ｉ、アポＡ−ＩＩ、アポＢ、アポＣ−ＩＩ、アポＣ−ＩＩＩ、アポＥ等が挙げられる。
【００４８】
また、ウイルス抗原としては、例えば、Ｂ型肝炎ウイルス（ＨＢＶ）関連抗原、Ｃ型肝炎ウイルス（ＨＶＣ）関連抗原、ＨＴＬＶ−１、ＨＩＶ関連抗原、狂犬病ウイルス、インフルエンザウイルス、風疹ウイルス等が挙げられる。ＨＣＶ関連抗原としては、例えば、ＨＣＶｃ１００−３リコビナント抗原、ｐＨＣＶ−３１リコビナント抗原ｐＨＣＶ−３４リコビナント抗原等が挙げられ、これらの混合物を対象とすることもできる。ＨＩＶ関連抗原としては、ウイルス表面抗原等が挙げられ、例えば、ＨＩＶ−Ｉ  ｅｎｖ．ｇｐ４１リコビナント抗原、ＨＩＶ−Ｉ  ｅｎｖ．ｇｐ１２０リコビナント抗原、ＨＩＶ−Ｉ  ｅｎｖ．ｐ２４リコビナント抗原、ＨＩＶ−ＩＩ  ｅｎｖ．ｐ３６リコビナント抗原等が挙げられる。
【００４９】
自己抗体としては、例えば、抗マイクロゾーム抗体、抗サイログロブリン抗体、抗核抗体、リュウマチ因子、抗ミトコンドリア抗体、ミエリン抗体等が挙げられる。
【００５０】
ホルモンとしては、例えば、下垂体ホルモン（ＬＨ、ＦＳＨ、ＧＨ、ＡＣＴＨ、ＴＳＨ、プロラクチン）、甲状腺ホルモン（Ｔ３、Ｔ４、サイログロブリン）、カルシトニン、副甲状腺ホルモン（ＰＴＨ）、副腎皮質ホルモン（アルドステロン、コルチゾール）、性腺ホルモン（ｈＣＧ、エストロゲン、テストステロン、ｈＰＬ）、膵・消化管ホルモン（インスリン、Ｃ−ペプチド、グルカゴン、ガストリン）、その他（レニン、アンジオテンシンＩ，ＩＩ、エンケファリン、エリスロポエチン）等が挙げられる。
【００５１】
心疾患マーカーとしては、例えば、クレアチニンキナーゼ（ＣＫ）、ＣＫのアイソザイムであるＣＫ−ＭＢ、ミオグロビン、心臓型脂肪酸結合蛋白（Ｈ−ＦＡＢＰ）、ミオシン軽鎖（ＭＬＣ）、心筋トロポニンＴ（ＴｎＴ）、心筋トロポニンＩ（ＴｎＩ）、心房性ナトリウム利尿ペプチド（ＡＮＰ）、脳性ナトリウム利尿ペプチド（ＢＮＰ）等が挙げられる。
【００５２】
薬剤としては、アルコール類としてエタノール、塩素系物質として次亜塩素酸ナトリウム、二酸化塩素、ベンザルコニウム塩を含むものとして塩化ベンザルコニウム、アルキルリン酸ベンザルコニウム等、塩化ベンゼトニウム、トリクロサン、イソプロピルメチルフェノール、塩化セチルピリジニウム、レゾルシン、トリクロロカルバニド、塩化クロルヘキシジン、グルコン酸クロルヘキシジン、過酸化水素、ポピヨンヨード、ヨードチンキ、ピレスロイド、パラジクロルベンゼン、ナフタリン、樟脳のいずれか１以上を含み、微生物であるウイルスや細菌、さらに細胞の機能を不活化、殺菌などを行い、毒性、感染性などを無効化させることが可能なものが選択される。
【００５３】
また、薬剤の濃度調整やシートの成形性、保存性などを向上させるために、薬効成分以外の物質を混合して使用することもできる。
【００５４】
対物層７は、接着層５および薬剤層６と同等の物質から構成され、薬剤層６から放出された薬剤を通過させ空間中に放出できる構造を有し、薬剤による分解を受けず、水分から薬剤層６および接着層５への浸透を防ぐ役割を持つ不織構造で、厚さは３ｍｍ以下が好ましい。
【００５５】
本発明の除菌シートによる除菌方法は、除菌シートが空間を介して微生物および毒性物質を不活化させる方法で、微生物および毒性物質が接着した箇所に除菌シートを近接させる。この時の、微生物および毒性物質が接着した箇所と除菌シートの距離はシート法線方向で５ｃｍ以下が好ましい。特に、除菌シートを便器蓋裏に接着させる工程と、便器蓋を閉じることにより除菌シートを便座表面に近接させる工程と、除菌シートの薬剤層から放出される薬剤が空間に放出される工程を経ることが適している。
【実施例】
【００５６】
以下、本発明を実施例に基づいてさらに詳細に説明する。本発明はこれらの実施例に何ら限定されるものではない。
【００５７】
一定空間において、本発明シートから放出された薬剤が、空間を介し、平面上に接着している微生物に対する効果を、適切な薬剤の特定と基本構造の決定の基礎を確認した。
【００５８】
（１）除菌シート作製
接着層として養生用テープ（ダイヤテックス）を５０ｍｍ×５０ｍｍにカットして準備した。薬剤層として、顆粒状二酸化塩素（mirax社）１ｇを養生用テープの接着剤が塗抹されている面に接着させ固定化した。顆粒状二酸化塩素が固定化された養生用テープに、対物層として５０ｍｍ×５０ｍｍにカットした不織布トレイメイト（ユニチャーム）を貼り付け、養生用テープの接着剤が塗抹されていない面に１０ｍｍ×１０ｍｍにカットしたものを貼り付け、除菌シートとした。顆粒状二酸化塩素を接着層に固定化させず、接着層と対物層のみ形成したものをネガティブコントロールの除菌シートとした。
【００５９】
（２）除菌シートでの微生物減退測定
直径９０ｍｍの滅菌済シャーレの底皿の底面に、５０ｍｍ×５０ｍｍのステンレス板を設置し、ステンレス板上に、大腸菌濃度１×１０６．３個／ｍｌ  （約２００万個／ｍｌ）の大腸菌溶液を２００マイクロリットル（μｌ）滴下した。滅菌済シャーレ蓋裏に、上記の顆粒状二酸化塩素粒子を保持した、および保持していない除菌シート（ネガティブコントロール）の２種類の除菌シートを接着させた。除菌シートを接着させたシャーレ蓋をシャーレ底皿に被せた。除菌シートが接着されたシャーレ蓋を被せた後、１０分間および３０分間、室温で静置した。１０分間および３０分間、除菌シートを近接させた後、各ステンレス板を滅菌済袋に移した。ステンレス板を入れた滅菌済袋に９ｍＬの滅菌済生理食塩水を加え、大腸菌を生理食塩水に懸濁させた。大腸菌懸濁液を生理食塩水で１０倍、１００倍希釈した。大腸菌懸濁液を培養する為のシートサニ太くん（JNC株式会社）に一枚あたり１ｍＬ滴下し、３５度のインキュベーターで１８時間培養した。
【００６０】
（３）微生物の減退数把握
上記（２）除菌シートでの微生物減退測定で培養したシートにおける生菌数を測定した。ネガティブコントロールにおいて、１０分間、除菌シートを近接させたもので大腸菌個数は２．１４×１０４個／ｍｌ、３０分間、除菌シートを近接させたものでの大腸菌個数は２．１８×１０４個／ｍｌであった。顆粒状二酸化塩素を保持した除菌シートにおいて、１０分間、除菌シートを近接させたもので大腸菌個数は５．１×１０２個／ｍｌ、３０分間、除菌シートを近接させたものでの大腸菌個数は１個／ｍｌであった。よって、薬剤である顆粒状二酸化塩素を保持した除菌シートを１０分間近接させた場合の大腸菌減退率は９７．６％、３０分間近接させた場合の大腸菌減退率は９９．９％であり、一定空間において、本発明の除菌シートを微生物に近接させることにより、微生物の不活化を行うことが確認できた。
【符号の説明】
【００６１】
１  除菌シート
２  便器蓋
３  便座
４  洋式便器
５  接着層
６  薬剤層
７  対物層
【図１】
2018143279.tif 000003
【図２】
2018143279.tif 000004
【図３】
2018143279.tif 000005
【図４】
2018143279.tif 000006